(57)【要約】【課題】  GPS内蔵型撮像装置において、撮影者の手や内部の電気ノイズによるＧＰＳ受信感度の低下を低減する。【解決手段】  撮影時撮影者の把持する手が触れにくいレンズ上方にGPS受信部を配置することにより、撮像装置の通常使用時に、撮像装置上側の人体による感度低下を防ぐとともに、撮像装置内の他の電気ノイズ元からの電気ノイズの影響を低減する。【選択図】  図４
2010243652.tif 000002
【特許請求の範囲】
【請求項１】
撮像レンズ部とGPS受信部とを備えた撮像装置において、前記GPS受信部を前記撮像レンズ部の上方に配置したことを特徴とする撮像装置。
【請求項２】
前記GPS受信部は前記レンズ部を構成する前玉部とフォーカスレンズ部との間に位置することを特徴とする請求項１に記載の撮像装置。
【請求項３】
前記レンズ前玉部とフォーカスレンズ部との間の外形は、フォーカスレンズ部の外形よりも小さいことを特徴とする請求項２に記載の撮像装置。
【発明の詳細な説明】
【技術分野】
【０００１】
本発明は撮像装置上にGPS装置を内蔵した際の受信感度を確保する為の配置に関するものである。
【背景技術】
【０００２】
近年、撮像装置にGPS（Global Positioning System ）受信部を接続して、受信した測位情報をその撮像装置に送り、その情報から撮影者及び被写体の位置情報を記録媒体に記録して、利用できる技術がある。
【０００３】
上記撮像装置において、GPS受信部は、受信性能を確保する為に、天空に向ける必要がある。また，電波を遮蔽しやすいものに，受信部を遮られると，著しく受信性能が低下する。そのため，撮像装置の通常使用時に、上側に受信部を配置するのが望ましい。
【０００４】
GPSを撮像装置の上部に配置する提案としては、撮像装置のショルダーベルトの肩当にGPS受信部を配置したものがある。（特許文献１）この方法では，通常使用時に，GPS受信部が天空を向き，人体の影響も受けることは少ない。しかし，この方法では，ショルダーベルトを外すと使えない。フレキシブルなショルダーベルトの肩当まで，電気的接続をとるのが非常に困難である。といった問題があった。
【先行技術文献】
【特許文献】
【０００５】
【特許文献１】特開2001-228527号公報
【発明の概要】
【発明が解決しようとする課題】
【０００６】
本発明では，GPS受信部を内蔵する撮像装置において，撮像装置の通常使用時に、受信感度が高く、更に人体による影響、及び他の電気ノイズを放射する電気部品からのノイズの影響の小さい箇所に受信部を配置することを目的とする。
【課題を解決するための手段】
【０００７】
上記目的を達成するため、本出願に関わる第１の発明は、撮像レンズ部とGPS受信部とを備えた撮像装置において、前記GPS受信部を前記撮像レンズ部の上方に配置したことを特徴としている。
【０００８】
本出願に関わる第2の発明は、前記GPS部は前記レンズ部を構成する前玉部とフォーカスレンズ部との間に位置することを特徴としている。
【０００９】
本出願に関わる第3の発明は、前記レンズ前玉部がフォーカスレンズ部より小さく、その隙間に前記GPS部を配置したことを特徴としている。
【発明の効果】
【００１０】
以上説明したように、本出願による第1の発明によれば、撮像レンズ部とGPS受信部とを備えた撮像装置において、前記GPS受信部を前記撮像レンズ部の上方に配置したことにより、撮像装置の通常使用時に、撮像装置上側の人体及び撮像装置内の他の電気ノイズ元からの電気ノイズの影響を減ずることができる。
【００１１】
また、本出願による第2,3の発明によれば前記レンズ部を構成する前玉部とフォーカスレンズ部との間にGPS部を配置することにより、撮像装置上側の人体及び撮像装置内の他の電気ノイズ元からの電気ノイズの影響を減ずると共に、前田的フォーカスレンズとの間のあいた場所を利用することにより小型化を実現することができる。
【図面の簡単な説明】
【００１２】
【図１】本発明の実施例の一形態をを示す撮像装置の構成を示すブロック図。
【図２】本発明の実施例の一形態を示す撮像装置の後方左側斜視図。
【図３】本発明の実施例の一形態を示す撮像装置の後方左側斜視透視図。
【図４】本発明の実施例の一形態を示す撮像装置のグリップ時後方左側斜視図。
【図５】本発明の実施例の一形態を示す撮像装置の内部構造の一部を示す後方左側斜視図。
【図６】本発明の実施例の一形態を示す撮像装置の内部構造の一部を示す左側透視図。
【図７】本発明の実施例の一形態を示す撮像装置のレンズ構造前方左側斜視図。
【図８】本発明の実施例の一形態を示す撮像装置の内部構造の一部を示す右側透視図。
【発明を実施するための形態】
【００１３】
（実施例１）
以下、本発明の第１の実施形態について図面を参照しながら説明する。
【００１４】
図１は、本発明の第１の実施形態における撮像装置の構成を示すブロック図、図２は本発明の第１の実施形態における撮像装置の表示部が開いた状態で、後方（撮影者側）左側から見た外観斜視図である。
【００１５】
撮像装置本体100は、図１に示すように、フォーカス及びズーム等の光学制御系を含む光学レンズ群及び絞りからなるレンズユニット部101、CCDなどの撮像素子を含むメイン撮像部102、カメラ信号処理部103、圧縮伸張処理部104、表示部105、記録再生処理部106、カード制御部107、大容量内部メモリ制御部108、マイクロフォン109、音声信号処理部110、メモリ111、メモリ制御部112、CPU113、操作部114、デジタルI/F115、入出力部116、GPS受信部124，GPS信号処理部125，電源制御部117を備えている。
【００１６】
また、各機能ブロックはそれぞれデータバス118を介して互いにデータ通信可能に接続されている。
【００１７】
このような撮像装置本体100において、メモリ111は、プログラム記憶領域とデータ作業領域を有し、データバス118を介して各機能ブロックでタイム・シェアリングして使用され、メモリ制御部112により制御及び管理されている。
【００１８】
CPU113は所定のプログラムを実行すること等により、撮像装置本体100全体を統括制御する中央演算処理回路である。
【００１９】
操作部114はユーザーからのキー操作などに基づいて、CPU113に対して動作指示する機能を有する。
【００２０】
そのうち、114aはレンズの画角をワイド側又はテレ側に変化させるズーム操作を行うためのズームツマミ、114bは静止画の記録を行う静止画撮影ボタンであり、半押しと全押し操作が可能な2段階スイッチである。
【００２１】
114cは電源ダイヤルであり、回転動作することで電源オフ、撮影モード、再生モードを切り替えることが可能である。
【００２２】
114dは動画撮影ボタンであり、押圧動作することで、動画撮影のスタート/ストップを行うことが可能である。
【００２３】
デジタルI/F115は、例えばIEEE1394やUSB等の規格に従い信号を授受する。
【００２４】
メモリーカード119は、SDカードやコンパクトフラッシュ（登録商標）等の脱着式のフラッシュメモリーであり、撮影データ及び音声データが記録される。
【００２５】
電源制御部117は、バッテリ検出回路、DC-DCコンバータ、通電するブロックを切り替えるスイッチ回路等により構成されており、電池の装着の有無、電池の種類、電池残量の検出を行う。バッテリ123は、リチウムイオン電池等であり、撮像装置本体100に電源を供給する。
【００２６】
GPS受信部124は，GPS衛星から位置と時間のデータを取得する。このデータは、GPS信号処理部125にて処理され、GPS受信部124の位置やその位置における時刻を算出する。この撮像装置では，算出した位置情報や時刻情報を画像データとともに大容量内部メモリ120またはメモリーカード119に書き込む。再生時には，この位置情報や時刻情報を参照することができ，データや記憶の整理に利用できる。
【００２７】
次に、本発明の第１の実施形態における撮像装置の撮影動作及び記録動作、再生動作について説明する。
【００２８】
例えば、操作部114により撮影動作及び記録動作が指示された場合、被写体からの光は、レンズ101により所定の明るさ、画角、及びフォーカス等が制御された光学信号となって撮像部102に対して入力される。撮像部102は入力光学信号を電気信号に変換し、カメラ信号処理部103に出力する。カメラ信号処理部103はこの電気信号をデジタル画像信号に変換する。そして、この画像信号に対して、色分離、階調補正、及びホワイトバランス調整などの信号処理を施した後出力する。音声信号処理部110は、マイクロフォン109より入力された音声信号を所定レベルにゲインコントロールしてデジタル化することで、音声データとして出力する。
【００２９】
圧縮伸張処理部104は、カメラ信号処理部103から出力された画像データ及び音声信号処理部110から出力された音声データを所定の圧縮符号化方式により圧縮符号化する。表示部105は、図２及び図3に示す液晶表示部105aとEVF105bにより構成され、圧縮伸張処理部104で圧縮符号化対象の撮影データを表示する。また、表示部105は、必要に応じて撮像装置本体100の動作状況をオンスクリーン・ディスプレイ情報として表示する。
【００３０】
記録再生処理部106は、圧縮伸張処理部104で得られた圧縮符号化後のデータに対して、エラー訂正符号化処理や変調処理等を施し、更に同期、ID，GPS受信部124及びGPS信号処理部125から算出した位置情報や時刻情報などのデータを付加して記録に適した形態に変換した後、大容量内部メモリ120あるいはメモリーカード119等の記録媒体に記録する。この際、大容量内部メモリ制御部108は大容量内部メモリ120の記録制御を、カード制御部107はメモリーカード119の記録制御をおこなう。
【００３１】
一方、操作部114により再生動作が指示された場合、記録再生処理部106は、大容量内部メモリ120またはメモリーカード119から読み出したデータから元のデジタルデータを検出し、エラー訂正及び復調等の処理を施す。また、PLL回路によりこの再生データに同期したクロックを生成する。
【００３２】
圧縮伸張処理部104は、記録再生処理部106より出力されたデータに対して、所定の圧縮符号化方式に対応した伸張処理を施し、圧縮符号化前の撮影データ及び音声データを取得する。表示部105は、圧縮伸張処理部104で得られた再生データを表示する。
【００３３】
また操作部114によりデジタルI/F115からの入力データを記録する指示があった場合、CPU113はデジタルI/F115により、外部装置121からの画像データあるいは音声データをデジタル信号の状態で入力し、記録再生処理部106に送る。この際、外部装置121からの画像データ、音声データは既に符号化されているものとし、記録再生処理部106は前述のようにこの入力データに対して記録に必要な処理を施して大容量内部メモリ120やメモリーカード119などの記録媒体に記録する。
【００３４】
また操作部114により、入出力部116からの入力信号を記録する指示があった場合、CPU113は入出力部116を制御し、外部装置122から出力された画像、音声信号を入力する。入出力部116は外部装置122から出力された画像、音声信号をデジタルデータに変換してメモリ111に出力する。CPU113はこのメモリ111に記憶された画像、音声データを圧縮伸張処理部104に出力して圧縮符号化し、記録再生処理部106に送る。記録再生処理部106は前述の様にこの符号化されたデータに対して記録に必要な処理を施して大容量内部メモリ120やメモリーカード119などの記録媒体に記録する。
【００３５】
GPS受信部124及びGPS信号処理部125の配置を図３，４，５に示す。図3は撮像装置の表示部が開いた状態で，内部構造の一部を透視した後方（撮影者側）左側から見た外観斜視図図であり、図４は撮影者が右手にてグリップしている状態で後方（撮影者側）左側から見た外観斜視図であり、図５は同一方向視にてGPS受信部124、レンズユニット部101、カメラ信号処理部103やメモリ111やCPU113等信号制御処理関係のほとんどのチップが乗ったメイン基板130、及び大容量内部メモリ部120のみを表示させた図である。
【００３６】
通常撮影時、撮影者は図４のようにグリップしている。グリップ状態すなわち撮影状態にてGPSの受信感度を低下させない為には、内部構造物及び撮影者の手のグリップ範囲1001によってGPSの受信範囲1002を妨げないように配置する必要があり、本実施形態では図３，５に示すようにレンズユニット部101の上前方にGPS受信部124及びGPS信号処理部125を配置することによりこの課題を解決している。
【００３７】
撮像装置本体100の内部構造のうち、GPS受信部124及びGPS信号処理部125付近の左側透視図を図６に示す。GPS受信部124及びGPS信号処理部125は図７に示すレンズユニット部101上のうち、前玉部101aとレンズフォーカス部101bとの間に配置する。レンズフォーカス部101bは通常の場合その構造上、レンズユニット部101のうち最も外形が大きくなる部分であり、レンズフォーカス部101bの外形と前玉101aとの外形差を利用してその隙間にGPS受信部124及びGPS信号処理部125を配置することにより撮像装置100の小型化を図ることができる。
【００３８】
また、GPS受信部124及びGPS信号処理部125を前玉部101aとレンズフォーカス部101bとの間に配置することにより、図8の右側透視図にて確認できるように、撮像装置内にてGPSの信号処理に大きな影響を及ぼす電気ノイズ元であるメイン基板130、及び大容量内部メモリ部120と透視上重ならず、電気ノイズがGPS受信部124及びGPS信号処理部125に直接到達しないことにより、GPS性能確保の為重要である電気ノイズの影響を防ぐことができる。また間にレンズユニット部101がメイン基板130、及び大容量内部メモリ部120との間に入ることによる電気ノイズ遮蔽効果もある。
【符号の説明】
【００３９】
１００  撮像装置本体
１０１  レンズユニット部
１０１a  レンズ前玉
１０１b  フォーカスレンズ部
１０２  メイン撮像部
１０３  カメラ信号処理部
１０４  圧縮伸張処理部
１０５  表示部
１０６  記録再生処理部
１０７  カード制御部
１０８  大容量内部メモリ制御部
１０９  マイクロフォン
１１０  音声信号処理部
１１１  メモリ
１１２  メモリ制御部
１１３  CPU
１１４  操作部
１１４a  ズームツマミ
１１４b  静止画撮影ボタン
１１４c  電源ダイヤル
１１４d  動画撮影ボタン
１１５  デジタルI/F
１１６  入出力部
１１７  電源制御部
１１８  BUS部
１１９  メモリーカード
１２０  大容量内部メモリ
１２１  外部装置
１２２  外部装置
１２３  バッテリ
１２４  ＧＰＳ受信部
１２５  ＧＰＳ信号処理部
１３０  メイン基板
１００１  撮影者グリップ範囲
１００２  ＧＰＳ受信範囲
【図１】
2010243652.tif 000003
【図２】
2010243652.tif 000004
【図３】
2010243652.tif 000005
【図４】
2010243652.tif 000006
【図５】
2010243652.tif 000007
【図６】
2010243652.tif 000008
【図７】
2010243652.tif 000009
【図８】
2010243652.tif 000010